(57)【要約】化粧用ブラシの一実施形態は、ハンドルと、ブラシヘッドとを含む。ヘッドは、異なる毛で作られた２つの側に等分される。
2011530378.tif 000002
【特許請求の範囲】
【請求項１】
ハンドルと、ヘッドとを有するブラシであって、
前記ヘッドは、前記ハンドルの端部から上向きに伸びる毛を含み、前記ブラシヘッドの各側は、異なる特性を有する、ブラシ。
【請求項２】
請求項１に記載のブラシであって、
前記ブラシヘッドは、特性が異なる２つの側を含む、ブラシ。
【請求項３】
請求項２に記載のブラシであって、
前記ブラシヘッドの前記２つの側は、同じサイズである、ブラシ。
【請求項４】
請求項３に記載のブラシであって、
前記ブラシヘッドは、全体に円形であって、特性が異なる全体に半円形の２つの側を伴う、ブラシ。
【請求項５】
請求項１に記載のブラシであって、
前記ブラシの一方の側の毛は、前記ブラシの他方の側の毛よりも堅い、ブラシ。
【請求項６】
請求項５に記載のブラシであって、
前記２つの側は、異なる厚みの毛を含む、ブラシ。
【請求項７】
請求項１に記載のブラシであって、
前記ブラシの一方の側の毛は、前記ブラシの他方の側の毛と異なる材料の毛である、ブラシ。
【請求項８】
請求項７に記載のブラシであって、
前記ブラシの一方の側の毛は、天然材料であり、前記ブラシの他方の側の毛は、合成材料である、ブラシ。
【請求項９】
請求項１に記載のブラシであって、
前記ブラシの一方の側の毛は、前記ブラシの他方の側の毛と異なる色である、ブラシ。
【請求項１０】
毛を含むヘッドを備えるブラシであって、
前記毛は、全て同じ全体的方向に伸び、前記ブラシヘッドは、前記毛の特性が異なる２つの側を含む、ブラシ。
【請求項１１】
請求項１０に記載のブラシであって、
前記ブラシヘッドは、特性が異なる２つの側を含む、ブラシ。
【請求項１２】
請求項１１に記載のブラシであって、
前記ブラシヘッドの前記２つの側は、同じサイズである、ブラシ。
【請求項１３】
請求項１２に記載のブラシであって、
前記ブラシヘッドは、全体に円形であり、特性が異なる全体に半円形の２つの側を伴う、ブラシ。
【請求項１４】
請求項１０に記載のブラシであって、
前記ブラシの一方の側の毛は、前記ブラシの他方の側の毛よりも堅い、ブラシ。
【請求項１５】
請求項１４に記載のブラシであって、
前記２つの側は、異なる厚みの毛を含む、ブラシ。
【請求項１６】
請求項１０に記載のブラシであって、
前記ブラシの一方の側の毛は、前記ブラシの他方の側の毛と異なる材料の毛である、ブラシ。
【請求項１７】
請求項１６に記載のブラシであって、
前記ブラシの一方の側の毛は、天然材料であり、前記ブラシの他方の側の毛は、合成材料である、ブラシ。
【請求項１８】
請求項１０に記載のブラシであって、
前記ブラシの一方の側の毛は、前記ブラシの他方の側の毛と異なる色である、ブラシ。
【発明の詳細な説明】
【背景技術】
【０００１】
（関連出願への相互参照）
本出願は、引用によって全体を本明細書に組み込まれたAnisa Telwarによる２００８年８月１２日出願の米国仮特許出願第６１／１８８，７５４号の権利を主張する。
【０００２】
化粧用ブラシは、メイクをする人にとっての主要な塗布器である。異なる種類のメイクは、リップブラシやアイシャドウブラシなどの異なる種類のブラシを必要とする。現在市販されている化粧用塗布器は、１つのブラシに１つの機能しかないので、満足のいくメイクを施すために、使用者は、ブラシをセットで購入する必要がある。
【０００３】
その他の分野では、２組以上の毛を持つブラシが提案されている。毛は、通常は、ハンドルのヘッド端部から側方へ、相対する方向に突き出しているので、いずれの側の毛も、他方の側の毛を巻き込むことなく使用することができる。しかしながら、これは、ハンドルから上向きに伸びる毛を持つブラシが好まれる多くの化粧用途には不適切である。
【０００４】
（発明の概要）
本発明の一実施形態にしたがって、ハンドルと、ヘッドとを有するブラシが提供される。ヘッドは、ハンドルの端部から上向きに伸びる毛を含む。ブラシヘッドの各側は、異なる特性を有する。
【０００５】
本発明の別の実施形態にしたがって、全て同じ全体的方向に伸びる毛を含むブラシヘッドが提供される。ブラシヘッドは、毛の特性が異なる２つの側を含む。
【０００６】
ブラシヘッドは、全体に円形であって、特性が異なる全体に半円形の２つの側を伴ってよい。
【０００７】
異なる特性は、異なる繊維を毛として使用することによって提供されてよい。一般に、「繊維」は、化粧品やスキンケア製品などを塗布するのに適した、ブラシの毛として使用できるあらゆるものを含む。
【０００８】
２つの側は、例えば、一方が他方よりも堅くてよい。２つの側は、異なる厚みの毛を使用してよい。２つの側は、天然毛及び合成毛などの異なる材料を使用してよい。材料は、塗布される化粧品を使用者の肌に移すには、化粧品に対する親和性が大きい材料であってよく、塗布された化粧品を肌の上で混ぜ合わせるには、化粧品に対する親和性が小さい材料であってよい。
【０００９】
ブラシの２つの側の毛は、異なる色であってよく、これは、美観的に注意をひく外観を提供するとともに、どちらの側がどれであるかを使用者に区別しやすくする。
【００１０】
大抵のケースでは、ブラシヘッドは、２つの側に極めてはっきり分けられることが好ましい。しかしながら、２つの側は、移行的な又は中間的な特性を提供するために、又は製造面での実用性ゆえに、ある程度互いに入り混じっていてもよい。
【００１１】
大半のケースでは、ブラシヘッドの両側は、おおよそ均等に等分されることが好ましい。しかしながら、一方の側が他方の側よりも大きくて、２つの半径によって区別される大きめの扇形と小さめの扇形の形、又は弦によって区別された若しくはその他の何らかのやり方で分けられた大きめの弧と小さめの弧の形をとってもよい。
【００１２】
以上の概要及び以下の詳細な説明がともに例示及び説明のためであること、並びに特許請求の範囲に記載された本発明を更に説明することを意図していることが、理解されるべきである。
【００１３】
本発明の更なる理解を可能にするために含まれ、本明細書に組み込まれるとともにその一部を構成する添付の図面は、本発明の実施形態を示しており、説明と相まって、本発明の原理を説明する働きをする。
【図面の簡単な説明】
【００１４】
【図１】ブラシの一実施形態の側面図である。
【発明を実施するための形態】
【００１５】
次に、添付の図面に例を示された本発明のブラシの１つ又は複数の実施形態について詳細に言及される。これらの実施形態は、限定のためではなく説明を目的として述べられる。
【００１６】
図面に言及すると、全体として参照符号１０によって示されるブラシの一実施形態は、ブラシヘッド１２と、ブラシハンドル１４と、フェルール１６とを含む。
【００１７】
ハンドル１４は、全体に円形の断面であるが、楕円形などの別の形状であってもよく、長手方向軸１８を有する。図１に示されるように、ハンドル１４は、比較的長くて薄い。しかしながら、ハンドル１４の長さ及び厚みは、当業者に周知にように、ブラシごとの使用目的に依存する。
【００１８】
ブラシヘッド１２は、軸１８に対して全体に平行に揃えられた毛２０、２２を含む。図１に示されるように、毛２０、２２は、ハンドル１４から離れる方向に、軸１８から僅かに広がる。広がりの量は、可変であってよい。毛２０、２２の基部は、フェルール１６によって、ハンドル１４の端部に取り囲まれ、支えられ、且つ固定される。
【００１９】
毛２０、２２は、異なる２つの種類の毛であり、それぞれ、ヘッド１２を等分した各側を構成している。例えば、ヘッド１２の一方の側を構成している毛２０は、天然毛であってよく、ヘッド１２のもう一方の側を構成している毛２２は、合成繊維であってよい。毛２０は、自然発生的に、又は意図的な着色を通じて、毛２２と異なる色であってよい。
【００２０】
図１に示されるように、ヘッド１２は、概して丸みを帯びているので、ブラシ１０を平らな表面に対して斜めにあてがうことによって、その表面に、一方の種類の毛２０又は２２のみを接触させることができる。
【００２１】
使用にあたり、ブラシ１０は、化粧品又はスキンケア製品を肌に塗布する、又は化粧品を肌若しくはその他の化粧品と混ぜ合わせるなどのために、従来の化粧品塗布用ブラシと同様に使用されてよい。しかしながら、ブラシ１０を肌に又は化粧品材料の容器に対して斜めに保持することによって、そして軸１８を中心にブラシ１０を適切な向きに回転させることによって、選択された一方の毛２０又は２２、又は２つの側の境界における混合を使用することができる。
【００２２】
例えば、一方の種類の毛２０又は２２が、化粧品を容器から肌に移すのにより適している一方で、もう一方の種類の毛２２又は２０は、化粧品を肌の上で混ぜ合わせるのにより適していてよい。パウダ、頬紅、ブロンザなどのミネラルベースのメイクの場合は、メイクを施すために合成繊維を、そして混ぜ合わせるために天然繊維を使用することが望まし
いであろう。例えば、頬紅は、合成繊維によって使用者の頬骨に塗られ、次いで、天然繊維によって頬骨の上で混ぜ合わされてよい。固形パウダやアイシャドウなどの皿状すなわち固形の製品の場合は、塗るためには天然繊維を、そして混ぜ合わせるためには合成繊維を使用することが望ましいであろう。例えば、アイシャドウは、天然繊維によって塗られ、次いで、ブラシの合成繊維側によって混ぜ合わされてよい。しかしながら、異なる２つの天然繊維又は異なる２つの合成繊維を使用することも可能であろう。
【００２３】
例えば、２つの側は、異なる化粧品を塗布するために使用されてよく、これは、異なる２本のブラシを使用する必要なく一方の化粧品の他方の化粧品による交差汚染のレベルを下げることができる。この場合は、外観は異なるが繊維の機械的特性が同じ又は類似の２つの側を有するブラシが有用であろう。２つの側の色又は外観のその他の特性のみが異なるブラシは、使用者の練習若しくは指導に、又はサイズ及び形状の似たブラシを使用者が容易に識別するのにも有用であろう。
【００２４】
例えば片側が白でもう片側が黒であるような、著しく色が異なる２つの側２０、２２を有することによって、使用者は、どちらの側がどれであるかを一瞥して知ることができ、使用のためにブラシを直ちに且つ正確に位置合わせすることができる。
【００２５】
本発明では、発明の趣旨又は範囲から逸脱することなく様々な変更及び変形を成すことが可能である。したがって、本発明は、添付の特許請求の範囲及びそれらの等価物の範囲内であれば、本発明の変更及び変形の形態をもその範囲内に含むことを意図している。
【００２６】
目立った実施形態が説明されてきたが、当業者ならば、異なる実施形態の特徴がどのように組み合わせ可能であるかを理解できるであろう。
【図１】
2011530378.tif 000003
【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
ハンドルと、全体に円形のヘッドとを備えるブラシであって、
前記ヘッドは、前記ハンドルの端部から上向きに伸びる毛を含み、前記毛は、第１組の特性を有する第１組の毛と、前記第１組の毛に隣接し、第２組の特性を有する第２組の毛と、前記全体に円形のヘッドを前記第１組の毛と前記第２組の毛との間で突っ切る分け目とを含む、ブラシ。
【請求項２】
請求項１に記載のブラシであって、
前記第１組の毛は、前記第２組の毛よりも大きい、ブラシ。
【請求項３】
請求項１に記載のブラシであって、
前記第１組の毛は、前記第２組の毛と同じ形状及びサイズである、ブラシ。
【請求項４】
請求項３に記載のブラシであって、
前記第１組の毛及び前記第２組の毛のそれぞれの形状は、全体に半円形である、ブラシ。
【請求項５】
請求項１に記載のブラシであって、
前記第１組の毛は、第１の剛性を有し、前記第２組の毛は、第２の剛性を有する、ブラシ。
【請求項６】
請求項５に記載のブラシであって、
前記第１組の毛は、第１の厚みの毛で構成され、前記第２組の毛は、第２の厚みの毛で構成される、ブラシ。
【請求項７】
請求項１に記載のブラシであって、
前記第１組の毛は、第１のタイプの材料で構成され、前記第２組の毛は、第２のタイプの材料で構成される、ブラシ。
【請求項８】
請求項７に記載のブラシであって、
前記第１組の毛の毛は、天然材料で構成され、前記第２組の毛の毛は、合成材料の毛である、ブラシ。
【請求項９】
請求項１に記載のブラシであって、
前記第１組の毛は、第１の色であり、前記第２組の毛は、第２の色であり、前記第１の色及び前記第２の色の少なくとも一方は、着色工程の結果である、ブラシ。
【請求項１０】
ブラシヘッドであって、
フェルールから同じ全体的方向に伸びる第１の側の毛及び第２の側の毛と、
前記ブラシヘッドを前記第１の側の毛と前記第２の側の毛との間で突っ切る分け目と、
を備え、前記第１の側から伸びる毛は、第１組の特性を有し、前記第２の側から伸びる毛は、第２組の特性を有し、前記ブラシヘッドは、全体に円形である、ブラシヘッド。
【請求項１１】
請求項１０に記載のブラシヘッドであって、
前記第１の側は、前記第２の側よりも大きい、ブラシヘッド。
【請求項１２】
請求項１０に記載のブラシヘッドであって、
前記第１の側及び前記第２の側は、それぞれ全体に半円形である、ブラシヘッド。
【請求項１３】
請求項１２に記載のブラシヘッドであって、
前記フェルールと反対側の端部は、概して丸みを帯びている、ブラシヘッド。
【請求項１４】
請求項１０に記載のブラシヘッドであって、
前記ヘッドの前記第１の側から伸びる毛は、前記第２の側から伸びる毛よりも堅い、ブラシヘッド。
【請求項１５】
請求項１４に記載のブラシヘッドであって、
前記第１の側から伸びる毛は、第１の厚みを有し、前記第２の側から伸びる毛は、第２の厚みを有する、ブラシヘッド。
【請求項１６】
請求項１０に記載のブラシヘッドであって、
前記第１の側から伸びる毛は、第１の材料の毛であり、前記第２の側から伸びる毛は、第２の材料の毛であり、前記第１の材料は、前記第２の材料よりも化粧品に対する親和性が大きい、ブラシヘッド。
【請求項１７】
請求項１６に記載のブラシヘッドであって、
前記第１の側から伸びる毛は、天然材料の毛であり、前記第２の側から伸びる毛は、合成材料の毛である、ブラシヘッド。
【請求項１８】
請求項１０に記載のブラシヘッドであって、
前記第１の側から伸びる毛は、第１の色であり、前記第２の側から伸びる毛は、第２の色であり、前記第１の色及び前記第２の色の少なくとも一方は、着色工程の結果である、ブラシヘッド。
【請求項１９】
ブラシヘッドであって、
フェルールと、
前記ブラシヘッドの第１の側及び第２の側から同じ全体的方向に伸びる一組の毛と、
を備え、前記第２の側は、前記第１の側に隣接し、前記第１の側から伸びる毛は、第１の色であり、前記第２の側から伸びる毛は、第２の色であり、前記第１の色及び前記第２の色の少なくとも一方は、着色工程の結果である、ブラシヘッド。
【国際調査報告】
2011530378.tif 000004
2011530378.tif 000005